(57)【特許請求の範囲】
【請求項１】
装填されたロール紙に印字するラベルプリンタであって、送り出された前記ロール紙の幅または位置を調整する機構のセンター近傍に設けられた着脱可能なリブの交換によって、内巻きまたは外巻きのロール紙に対応し、
前記内巻きのロール紙に対応する第１のリブは、前記内巻きのロール紙側の角が、丸みを帯びるとともに印字方向側より低くなっており、
前記外巻きのロール紙に対応する第２のリブは、前記外巻きのロール紙側の角が当該ロール紙の受け方向に前記第１のリブよりも突出していることを特徴とする着脱可能なリブ付きラベルプリンタ。
【請求項２】
前記第２のリブは、前記ロール紙が、前記第２のリブの角より下に、引き出されたロール紙が垂れることを抑制していることを特徴とする請求項１記載の着脱可能なリブ付きラベルプリンタ。
【発明の詳細な説明】
【技術分野】
【０００１】
本発明は、装填されたロール紙に印字して出力するプリンタに関し、特に、ロール紙の印字位置近傍に設けられるガイドリブ付プリンタ関する。
【背景技術】
【０００２】
プリンタの種類の１つとして、装填されたロール紙に印字して出力するプリンタが知られている。ところで、このようなプリンタに装填されるロール紙には内巻きのものと外巻きのものとがある。ここで、内巻きとは、印字面が内側に巻かれているものであり、例えばラベルが貼られている。一方、外巻きとは、内巻きの逆で、印地面が外側に巻かれているものである。
【０００３】
ところで、従来のロール紙用のプリンタでは、内巻き専用、または、外巻き専用のものがあり、内巻き及び外巻きの双方に対応できるプリンタはなかった。なお、内巻き専用のプリンタの紙送りの例を図９に示す。また、内巻き専用のプリンタの紙送りの例を図１０に示す。
【０００４】
なお、特許文献1には、ダンパを使用することにより、内巻きと外巻きとの双方に対応させた熱転写プリンタが開示されている。
【０００５】
【特許文献１】特開２００６−１２６２３０号公報
【発明の開示】
【発明が解決しようとする課題】
【０００６】
そこで、本発明は、ロール紙が、内巻きであっても外巻きであっても、また、印字方式が、熱転写タイプであっても感熱タイプであってもリブの交換だけで、簡単に対応できるプリンタを提供することを目的とする。
【課題を解決するための手段】
【０００７】
本発明の着脱可能なリブ付きプリンタは、装填されたロール紙に印字するプリンタであって、送り出された前記ロール紙の幅または位置を調整する機構のセンター近傍に設けられた着脱可能なリブの交換によって、内巻きまたは外巻きのロール紙に対応することを特徴とする。
【０００８】
また、前記プリンタにおいて、前記内巻きのロール紙に対応する第１のリブは、前記内巻きのロール紙側の角が、丸みを帯びるとともに印字方向側より低くなっており、前記外巻きのロール紙に対応する第２のリブは、前記外巻きのロール紙側の角が当該ロール紙の受け方向に突出しているとより効果的である。
【発明の効果】
【０００９】
本発明によれば、ロール紙が、内巻きであっても外巻きであっても、また、印字方式が、熱転写タイプであっても感熱タイプであってもリブの交換だけで、簡単に対応できるプリンタを提供することができる。
【発明を実施するための最良の形態】
【００１０】
以下、図面を参照して本発明を実施するための最良の形態について説明する。なお、本実施の形態では、ロール紙にはラベルが貼られており、このラベルに印字するものとする。
【００１１】
図１は、印字方式が感熱タイプのラベルプリンタのカバーを開けた状態での概観図であり、図２は、感熱タイプのラベルプリンタのカバーを閉じた状態を示す断面透視図である。なお、両図とも、紙送りの主要部を太線で囲んでいる。
【００１２】
次ぎに、図３及び図４は、印字方式が熱転写タイプのラベルプリンタのカバーを開けた状態での概観図であり、図５は、熱転写タイプのラベルプリンタのカバーを閉じた状態を示す断面透視図である。なお、両図とも、紙送りの主要部を太線で囲んでいる。
【００１３】
なお、印字方式の違いによっては、以下に説明する本発明の主要部の構造には、変化がないため、詳細な説明は省略する。
【００１４】
図６は、図１ないし図５に示したラベルプリンタのロール紙の紙送りの様子を説明するための模式図である。なお、図６ではインクリボンの様子も示されているが、本発明の主要部の構造とは直接には関連しない。また、図６では、内巻きタイプのロール紙と外巻きタイプのロール紙それぞれの給紙の様子がみてとれる。
【００１５】
次に、図７は、ロール紙が内巻きの場合のリブの形状を説明するためのプリンタの断面図（図上一部透視）である。リブ１０は、角３０が丸みを帯びて、また、印字方向側より低く形成されており、ロール紙の引っかかりを防いでいるとともに、ロール紙を印字方向から出力方向へとガイドしている。なお、このリブ１０は、着脱可能にプリンタに取り付けられており、後述するリブ１１と交換可能である。
【００１６】
次に、図８は、ロール紙が外巻きの場合のリブの形状を説明するためのプリンタの断面図（図上一部透視）である。リブ１１は、角３１がロール紙の受け方向に突出しており、ロール紙が空間４０に脱落するのを抑制している。なお、ロール紙が空間４０に脱落してしまうとラベルの剥離が起こりやすくなる。また、このリブ１１は、着脱可能にプリンタに取り付けられており、上述のリブ１０と交換可能であり、ユーザは、使うロール紙によって、リブも対応したものを使用する。
【００１７】
なお、リブ１０及び１１は、可動する用紙幅調整機構２０のセンター近傍に設けられている。なお、この用紙幅調整機構２０は、装填されたロール紙の装填位置での幅を調整するものではなく、送り出されたロール紙の位置決めや幅調整に用いられる。
【００１８】
以上説明したとおり、本発明によれば、ロール紙が、内巻きであっても外巻きであっても、また、印字方式が、熱転写タイプであっても感熱タイプであってもリブの交換だけで、簡単に対応できるプリンタを提供することができる。
【図面の簡単な説明】
【００１９】
【図１】感熱タイプのラベルプリンタのカバーを開けた状態での概観図である。
【図２】感熱タイプのラベルプリンタのカバーを閉じた状態を示す断面透視図である。
【図３】熱転写タイプのラベルプリンタのカバーを開けた状態での概観図である。
【図４】熱転写タイプのラベルプリンタのカバーを開けた状態での概観図である。
【図５】熱転写タイプのラベルプリンタのカバーを閉じた状態を示す断面透視図である。
【図６】ロール紙の紙送りの様子を説明するための模式図である。
【図７】ロール紙が内巻きの場合のリブの形状を説明するためのプリンタの断面図である。
【図８】ロール紙が外巻きの場合のリブの形状を説明するためのプリンタの断面図である。
【図９】内巻き専用のプリンタの紙送りの例を示す模式図である。
【図１０】外巻き専用のプリンタの紙送りの例を示す模式図である。
【符号の説明】
【００２０】
１０  リブ
１１  リブ
２０  用紙幅調整機構
３０  角
３１  角
４０  空間
【図１】
0005114166.tif 000002
【図２】
0005114166.tif 000003
【図３】
0005114166.tif 000004
【図４】
0005114166.tif 000005
【図５】
0005114166.tif 000006
【図６】
0005114166.tif 000007
【図７】
0005114166.tif 000008
【図８】
0005114166.tif 000009
【図９】
0005114166.tif 000010
【図１０】
0005114166.tif 000011